(57)【要約】【課題】極めて軽量な容器で鉢植え等を持ち運ぶことができ、しかも、返却の必要がなく収納した鉢植え等と共に贈ることが可能になり、鉢植え等の固定作業も極めて容易で、廃棄処分も簡単な鉢植え等の輸送箱を提供する。【解決手段】紙製ブランクを折畳んで底部トレー１０と上部カバー２０とを形成する。底部トレー１０に収容物Ｐを収納し該収容物Ｐに上部カバー２０を被せて底部トレー１０と連結して持ち運びするように設ける。底部トレー１０上に載置される固定体３０を設ける。底部トレー１０と上部カバー２０とを連結する際に、上部カバー２０の下端部で固定体３０の長手端部を底部トレー１０上に圧着固定する。該固定体３０に切込３４を設ける。該切込３４に差し込み自在に設けられ固定体３０から立設する複数の支持板３５で、固定体３０の上に載置した収容物Ｐの下部周囲を支持するように設ける。【選択図】図１
0003136187.tif 000002
【実用新案登録請求の範囲】
【請求項１】
底部トレーと上部カバーとで構成され、底部トレーに収容物Ｐを収納し該収容物に上部カバーを被せ該上部カバーと底部トレーとを連結して持ち運びするように設けられた鉢植え等の輸送箱において、底部トレーと上部カバーは紙製ブランクを折畳んで形成され、底部トレー上に載置される固定体を平面略十字形状に形成し、底部トレーと上部カバーとを連結する際に、上部カバーの下端部で固定体の長手端部を底部トレー上に圧着固定し、該固定体に切込を設けると共に、該切込に差し込み自在に設けられた複数の支持板を固定体に立設し、該支持板にて固定体の上に載置した収容物の下部周囲を支持するように設けたことを特徴とする鉢植え等の輸送箱。
【請求項２】
前記固定体は、紙製ブランクを折畳んで形成された一対の固定腕が略十字形状に組み合わされたもので、各固定腕は略帯状の底板の長手側縁から左右一対の支持片が立設された断面略倒コ字状を成し、各支持片に前記支持板を差し込み自在に連結する複数の切込を左右対称で且つ収容物の下部形状に合わせるように設けた請求項１記載の鉢植え等の輸送箱。
【請求項３】
前記支持板の下端部に、前記固定腕の支持片に設けられた切込に嵌合する一対の嵌合切込が設けられ、支持板の上端部を屈曲自在に設けると共に該屈曲部に前記収容物の下部周囲を支持する支持片を設けた請求項１又は２記載の鉢植え等の輸送箱。
【請求項４】
前記底部トレーは、平面六角形状を成した底板の周囲縁から側板が延長され、各側板相互を補強片が連結すると共に、三枚の側板を底板に差し込み固定する固定片と、残る三枚の側板を前記上部カバーの下端部に差し込み連結する連結片とが側板の各上側縁から交互に設けられた請求項１記載の鉢植え等の輸送箱。
【請求項５】
前記上部カバーは、連続する六枚の側板を側板の一端に設けたのりしろ片が接合して前記底部トレーの前記側板の内側に嵌合する六角筒状に形成され、各側板のうち二枚の側板の上端縁から延長する一対の上部側板と、他の二枚の側板の上端縁から延長し上部側板の上に重合されると共に先端部に手提げ部を屈曲形成した一対の手提げ片と、残る側板の一方の上端縁から延長し手提げ片の上面に重合されると共に手提げ部を挿通せしめる挿通孔を有する手提げ重合片とを形成し、残る側板の他方の上端縁から延長され手提げ重合片に差し込み連結する連結片で手提げ片を固定し、六枚の側板のうち少なくとも三枚の側板に前記底部トレーの連結片を差し込み連結せしめる連結孔を設けた請求項１又は４記載の鉢植え等の輸送箱。
【考案の詳細な説明】
【技術分野】
【０００１】
本考案は、紙箱で形成された底部トレーと上部カバーとで構成される鉢植え等の輸送箱に係り、底部トレーに生花の鉢植えや鉢状の容器に飾り付けたキャンディブーケなどを収納し、該鉢植え等に上部カバーを被せて持ち運びすることができる鉢植え等の輸送箱に関する。
【背景技術】
【０００２】
従来、この種の輸送箱として、特許文献１に記載の生花等の梱包用容器が提案されている。この梱包用容器は、底部トレーに鉢植えを収納してゴムひも等の弾性帯にて固定し、この鉢植えに上部カバーを被せて底部トレーと連結し、上部カバーを持って持ち運び自在に形成したものである。
【特許文献１】特開２００３‐１２８１５４号公報
【考案の開示】
【考案が解決しようとする課題】
【０００３】
特許文献１に記載の梱包用容器は、耐久性を持たせるために、合成樹脂材で形成されたものなので、梱包用容器自体の重量が重く、鉢植え等を収納したときの総重量が極めて重くなる不都合があった。
【０００４】
また、生花などはギフト用品として多く用いられるものであるから、この生花を持ち運んだ梱包用容器は生花と共に贈り先に贈られるのが望ましいが、特許文献１では、繰り返し使用できるように設けているため、贈り先に生花を届けた後は、この梱包用容器のみを返却する必要があった。このため、空の梱包用容器を生花店等に送り返す手間や費用がかかることになる。しかも、特許文献１の底部トレーや上部カバーは、合成樹脂で形成されているので、使用済みの梱包用容器を廃棄する場合にも多くの手間や費用を要するものである。
【０００５】
更に、底部トレーに収納した鉢植えを固定するには、複数本のゴムひも等にて鉢を固定する手段を採用しているので、この固定作業に多くの手間を要するものであった。すなわち、これらのゴムひもは、鉢植えのサイズに適合させるために用いているが、もともと、鉢には生花が植えられているので、鉢の下方からゴムひもを掛ける必要がある。この場合、鉢を持ち上げながらゴムひもを掛ける作業になる。しかも、このゴムひもは、１本では十分な固定ができないので、少なくともゴムひもを４本使用するように設けてある。そうすると、一個の鉢植えを底部トレーに確実に固定するには、少なくともこの鉢植えを４回も持ち上げながらゴムひもを掛ける作業が必要になる。このように特許文献１では、鉢の固定作業に多くの手間を要するものである。
【０００６】
そこで本考案は、上述の課題を解消すべく案出されたもので、極めて軽量な容器で鉢植えを持ち運ぶことができ、しかも、返却の必要がなく収納した鉢植え等と共に贈ることが可能になり、鉢植え等の固定作業も極めて容易で、廃棄処分も簡単な鉢植え等の輸送箱の提供を目的とするものである。
【課題を解決するための手段】
【０００７】
上述の目的を達成するため、本考案の第１の手段は、底部トレー１０と上部カバー２０とで構成され、底部トレー１０に収容物Ｐを収納し該収容物Ｐに上部カバー２０を被せ該上部カバー２０と底部トレー１０とを連結して持ち運びするように設けられた鉢植え等の輸送箱において、底部トレー１０と上部カバー２０は紙製ブランクを折畳んで形成され、底部トレー１０上に載置される固定体３０を平面略十字形状に形成し、底部トレー１０と上部カバー２０とを連結する際に、上部カバー２０の下端部で固定体３０の長手端部を底部トレー１０上に圧着固定し、該固定体３０に切込３４を設けると共に、該切込３４に差し込み自在に設けられた複数の支持板３５を固定体３０に立設し、該支持板３５にて固定体３０の上に載置した収容物Ｐの下部周囲を支持するように設けたものである。
【０００８】
第２の手段の前記固定体３０は、紙製ブランクを折畳んで形成された一対の固定腕３１が略十字形状に組み合わされたもので、各固定腕３１は略帯状の底板３２の長手側縁から左右一対の支持片３３が立設された断面略倒コ字状を成し、各支持片３３に前記支持板３５を差し込み自在に連結する複数の切込３４を左右対称で且つ収容物Ｐの下部形状に合わせるように設けている。
【０００９】
第３の手段は、前記支持板３５の下端部に、前記固定腕３１の支持片３３に設けられた切込３４に嵌合する一対の嵌合切込３６が設けられ、支持板３５の上端部を屈曲自在に設けると共に該屈曲部に前記収容物Ｐの下部周囲を支持する支持片３７を設けたものである。
【００１０】
第４の手段の前記底部トレー１０は、平面六角形状を成した底板１１の周囲縁から側板１２が延長され、各側板１２相互を補強片１３が連結すると共に、三枚の側板１２を底板１１に差し込み固定する固定片１４と、残る三枚の側板１２を前記上部カバー２０の下端部に差し込み連結する連結片１５とが側板１２の各上側縁から交互に設けられたものである。
【００１１】
第５の手段の前記上部カバー２０は、連続する六枚の側板２１を側板２１の一端に設けたのりしろ片２２が接合して前記底部トレー１０の前記側板１２の内側に嵌合する六角筒状に形成され、各側板２１のうち二枚の側板２１の上端縁から延長する一対の上部側板２３と、他の二枚の側板２１の上端縁から延長し上部側板２３の上に重合されると共に先端部に手提げ部２４Ａを屈曲形成した一対の手提げ片２４と、残る側板２１の一方の上端縁から延長し手提げ片２４の上面に重合されると共に手提げ部２４Ａを挿通せしめる挿通孔２５Ａを有する手提げ重合片２５とを形成し、残る側板２１の他方の上端縁から延長され手提げ重合片２５に差し込み連結する連結片２６で手提げ片２４を固定し、六枚の側板２１のうち少なくとも三枚の側板２１に前記底部トレー１０の連結片１５を差し込み連結せしめる連結孔２１Ａを設けたことを課題解消のための手段とする。
【考案の効果】
【００１２】
本考案の請求項１により、紙製ブランクを折畳んで底部トレー１０と上部カバー２０とを形成し、底部トレー１０と上部カバー２０とを連結する際に、上部カバー２０の下端部を底部トレー１０の上面に載置し、該上部カバー２０で固定体３０の長手端部を底部トレー１０上に圧着固定し、該固定体３０に設けた切込３４に差し込み自在に設けられ固定体３０から立設する複数の支持板３５で、固定体３０の上に載置した収容物Ｐの下部周囲を支持するように設けたことから、極めて軽量な容器で鉢植えを持ち運ぶことができるようになった。また、底部トレー１０と上部カバー２０とを分離できるので、収容物Ｐの収容や取り出しが容易になる。しかも、返却の必要がなく収納した鉢植えと共に贈ることが可能になり、使用後は、廃棄処分も簡単に行えるものである。したがって、鉢植えの生花や鉢状の容器にキャンディーが飾られたキャンディブーケなどの輸送に適した輸送箱となる。
【００１３】
請求項２により、固定体３０は、紙製ブランクを折畳んで形成した一対の固定腕３１が略十字形状に組み合わされたもので、該固定腕３１は略帯状の底板３２の長手側縁から左右一対の支持片３３が立設された断面略倒コ字状を成しているから、紙製でも強度に優れた固定体３０を提供することができる。
【００１４】
請求項３では、支持板３５によって、収容物Ｐの下端部周囲を確実に支持することができる。しかも、収容物Ｐの下部形状に合わせるように設けた切込３４に支持板３５を嵌合するので、収容物Ｐの種類や形状に合わせて支持することが可能になり、鉢植え等の固定作業も極めて容易に行えるものである。
【００１５】
請求項４によると、底部トレー１０は、平面六角形状を成した底板１１の周囲縁から側板１２が延長され、各側板１２相互を補強片１３が連結しているので、紙製ブランクを折畳んで形成した底部トレー１０でも強度に優れ、鉢植えなどの収容物Ｐを確実に収容することが可能である。また、三枚の側板１２を底板１１に差し込み固定する固定片１４と、残る三枚の側板１２を前記上部カバー２０の下端部に差し込み連結する連結片１５とが側板１２の各上側縁から交互に延長されているから、底部トレー１０と上部カバー２０とを強力に連結することができる。
【００１６】
請求項５では、上部カバー２０は、連続する六枚の側板２１を側板２１の一端に設けられたのりしろ片２２が接合して前記底部トレー１０の前記側板１２の内側に嵌合する六角筒状に形成しているので、底部トレー１０に収容した鉢上等の収容物Ｐに被せ易い形状になる。しかも、各側板２１の上端縁からそれぞれ延長された一対の上部側板２３と、該上部側板２３の上に重合される一対の手提げ片２４と、該手提げ片２４の上面に重合され各手提げ片２４に設けられた一対の手提げ部２４Ａを挿通せしめる挿通孔２５Ａを有する手提げ重合片２５とを形成し、該手提げ重合片２５に差し込み連結する連結片２６で手提げ片２４を固定しているから、この上部カバー２０の手提げ部２４Ａを持って持ち運ぶことが可能になった。
【００１７】
このように本考案によると、極めて軽量な容器で鉢植え等を持ち運ぶことができ、しかも、返却の必要がなく収納した鉢植え等と共に贈ることが可能になり、鉢植え等の固定作業も極めて容易で、廃棄処分も簡単に行えるなどといった実用上有益な種々の効果を奏するものである。
【考案を実施するための最良の形態】
【００１８】
本考案の最良の形態は、紙製ブランクを折畳んで底部トレー１０と上部カバー２０とを形成し、底部トレー１０に収容物Ｐを収納し該収容物Ｐに上部カバー２０を被せて底部トレー１０と連結して持ち運びするように設ける。紙製ブランクを折畳んで形成した一対の固定腕３１が平面略十字形状に組み合わせられ、底部トレー１０上に載置される固定体３０を設ける。該固定腕３１は略帯状の底板３２の長手側縁から左右一対の支持片３３が立設された断面略倒コ字状を成し、各支持片３３に複数の切込３４を左右対称で且つ収容物Ｐの下部形状に合わせるように設ける。切込３４に嵌合する一対の嵌合切込３６が設けられた複数の支持板３５を設ける。該支持板３５の上端部を屈曲自在に設けると共に該屈曲部に前記収容物Ｐの下部周囲を支持する支持片３７を設ける。底部トレー１０と上部カバー２０とを連結する際に、上部カバー２０の下端部を底部トレー１０の上面に載置し、該上部カバー２０で固定体３０の長手端部を底部トレー１０上に圧着固定するように設ける。該固定体３０の切込３４に差し込み自在に設けられた複数の支持板３５で、固定体３０の上に載置した収容物Ｐの下端部周囲を支持するように設けることで、当初の目的を達成するものである。
【実施例】
【００１９】
本考案輸送箱の基本構成は、底部トレー１０と上部カバー２０と固定体３０とからなり、これらは紙製ブランクを折畳んで各別に設けられている（図１参照）。そして、底部トレー１０上の固定体３０に鉢植え等の収容物Ｐを載置固定し（図３参照）、該収容物Ｐに上部カバー２０を被せて底部トレー１０と連結して持ち運びできるように設けられている（図２参照）。
【００２０】
底部トレー１０は、底部用ブランクＡに形成した平面六角形状の底板１１の周囲縁から側板１２が延長されたもので、各側板１２相互を補強片１３が連結している（図７参照）。更に、三枚の側板１２を底板１１に差し込み固定する固定片１４と、残る三枚の側板１２を上部カバー２０の下端部に差し込み連結する連結片１５とが、側板１２の各上側縁から交互に延長形成されている（図４参照）。図示例では、連結片１５に指掛孔１５Ａを開穿して連結片１５の抜き出し作業を容易にしている。
【００２１】
上部カバー２０は、図８に示すカバー用ブランクＢに形成した連続する六枚の側板２１を、側板２１の一端に設けられたのりしろ片２２が接合して六角筒状に形成したもので（図２参照）、この側板２１の下端部が底部トレー１０の側板１２の内側に嵌合するものである（図５参照）。また、六枚の側板２１のうち少なくとも三枚の側板２１に前記底部トレー１０の連結片１５を差し込み連結せしめる連結孔２１Ａを設けると共に、少なくとも三枚の側板２１に窓部２１Ｂを形成している（図１参照）。この窓部２１Ｂには、透明フィルム等を貼り付けている。
【００２２】
更に、各側板２１の上端縁には、それぞれ上部側板２３、手提げ片２４、手提げ重合片２５、連結片２６を設けている（図８参照）。側板２１は二枚の側板２１から一対延長されており、この上部側板２３の上に同様に設けられた一対の手提げ片２４を重合する（図６参照）。各手提げ片２４の先端には手提げ部２４Ａが屈曲形成されている。更に、手提げ片２４の上面に重合され手提げ部２４Ａを挿通せしめる挿通孔２５Ａを有する手提げ重合片２５を設けている。そして、この手提げ重合片２５に設けた連結孔２５Ｂに差し込み連結する連結片２６で手提げ片２４を固定している（図２参照）。
【００２３】
固定体３０は、底部トレー１０上に載置される平面略十字形状を成した部材で、底部トレー１０と上部カバー２０とを連結する際に底部トレー１０上に固定される（図３参照）。すなわち、底部トレー１０と上部カバー２０とを連結する際に、上部カバー２０の下端部を底部トレー１０の側板１２の内側に嵌合する。このとき、底部トレー１０の上面に載置する上部カバー２０の下端部で、図４に示すように設置された固定体３０の各固定腕３１の長手端部を底部トレー１０上に圧着固定するものである（図３参照）。
【００２４】
また固定体３０は、固定体３０の上に載置した収容物Ｐの下端部周囲を支持する複数枚の支持板３５を差し込み自在に立設せしめるものである（図１参照）。すなわち、この固定体３０は、図９に示す固定用ブランクＣを折畳んで形成した一対の固定腕３１が略十字形状に組み合わされたもので、該固定腕３１は略帯状の底板３２の長手側縁から左右一対の支持片３３が立設された断面略倒コ字状を成すものである（図１参照）。更に、各支持片３３に複数の切込３４を左右対称に設け、この切込３４に差し込み自在に連結する支持板３５で収容物Ｐの下端部形状に沿って支持するものである（図３参照）。図示例では、一方の固定腕３１に、組み付け用の切込３４Ａを設けている（図９（ロ）参照）。また、この組み合わせ手段は任意に変更することができる。
【００２５】
この支持板３５は、支持用ブランクＤにて形成するもので、各支持片３３の切込３４に嵌合する一対の嵌合切込３６が下端部に設けられている（図１０参照）。そこで、切込３４の角度を予め収容物Ｐの底部の形状に沿うように傾斜させておくことで、収容物Ｐの下部形状に沿った支持板３５が支持するものである（図３参照）。更に、支持板３５の上端部を屈曲自在に設けると共に該屈曲部に前記収容物Ｐの周囲を支持する支持片３７を設けている。支持板３５の上端部を屈曲させた状態でこの支持片３７を収容物Ｐに係止させることで、支持板３５の支持力を高めることができる。
【００２６】
本考案の使用方法は、底部トレー１０の内部に固定体３０を設置し、この固定体３０に支持板３５を立設する（図４参照）。次に、固定体３０上に収容物Ｐを載置し、この収容物Ｐを支持板３５の支持片３７で固定する（図３参照）。そして収容物Ｐに上部カバー２０を被せた状態で運搬するものである（図２参照）。
【００２７】
尚、図示例の各構成は、本考案の一実施例に過ぎず、底部トレー１０や上部カバー２０、あるいは固定体３０の設計変更等は自由であり、外観形状やサイズなどの設計変更も可能であるなど、本考案の要旨を変更しない範囲において自由に変更することができる。
【図面の簡単な説明】
【００２８】
【図１】本考案の一実施例を示す分解斜視図である。
【図２】本考案の使用状態を示す斜視図である。
【図３】本考案の収納状態を示す要部断面図である。
【図４】本考案の底部トレーと固定体との一実施例を示す平面図である。
【図５】本考案の使用状態を示す平面図である。
【図６】本考案の上部カバーの一実施例を示す要部縦断面図である。
【図７】本考案の底部用ブランクの一実施例を示す展開図である。
【図８】本考案のカバー用ブランクの一実施例を示す展開図である。
【図９】本考案の固定用ブランクの一実施例を示す展開図である。
【図１０】本考案の支持用ブランクの一実施例を示す展開図である。
【符号の説明】
【００２９】
Ａ  底部用ブランク
Ｂ  カバー用ブランク
Ｃ  固定用ブランク
Ｄ  支持用ブランク
１０  底部トレー
１１  底板
１２  側板
１３  補強片
１４  固定片
１５  連結片
１５Ａ  指掛孔
２０  上部カバー
２１  側板
２１Ａ  連結孔
２２  貫通孔
２３  上部側板
２４  手提げ片
２４Ａ  手提げ部
２５  手提げ重合片
２５Ａ  挿通孔
２５Ｂ  連結孔
２６  連結片
３０  固定体
３１  固定腕
３２  底板
３３  支持片
３４  切込
３４Ａ  切込
３５  支持板
３６  嵌合切込
３７  支持片
【図１】
0003136187.tif 000003
【図２】
0003136187.tif 000004
【図３】
0003136187.tif 000005
【図４】
0003136187.tif 000006
【図５】
0003136187.tif 000007
【図６】
0003136187.tif 000008
【図７】
0003136187.tif 000009
【図８】
0003136187.tif 000010
【図９】
0003136187.tif 000011
【図１０】
0003136187.tif 000012